(57)【要約】【課題】開扉状態、閉扉状態の何れの状態にも扉を保持できるドアストッパーを提供する。【解決手段】梁部３に取り付けられた回転部４が、梁部３に装着される支柱部３ａを中心に回転する構造とすることにより、回転部４に接続される、突っ張り部材６および脚キャップ６aを、扉の開扉方向、閉扉方向のいずれの方向に働く力にも抗する力を発生させる方向にセットすることが可能となり、扉を開扉状態にも閉扉状態にも保持できるドアストッパーが提供できる。  【選択図】  図１
2006112072.tif 000002
【特許請求の範囲】
【請求項１】
扉に取り付けられる取り付け基板と、取り付け基板に設けられる棒状の梁部と、梁部に設けられる床面に平行な面に沿って回転可能な回転部と、回転部に取付けられる棒状の突っ張り部材と、棒状の突っ張り部材の先端に取付けられ、床面にセットされる脚キャップからなることを特徴とするドアストッパー。
【請求項２】
前記取り付け基盤に設けられる棒状の梁部が、水平方向および垂直方向に回転可能で、且つ、水平状態および垂直状態で保持可能であることを特徴とする請求項１記載のドアストッパー。
【発明の詳細な説明】
【技術分野】
【０００１】
本発明は、開き戸形式または引き戸形式の扉を、開扉状態または閉扉状態に保持するドアストッパーに関するものである。
【背景技術】
【０００２】
周知のドアストッパーは、開き戸形式の扉を開扉状態に保持するため、扉の屋内側外面下方に取り付け、床との設置部に被冠または接着などにより固定された脚キャップを具する棒状の突っ張り部材を、斜めにセット出来るようにしたものがある。
【０００３】
脚キャップを具する突っ張り部材は、扉が開扉状態のとき、閉方向に作用する力に抗するようにセットされ、扉を開扉状態に保持する。
【０００４】
周知のドアストッパーでは、脚キャップを具する突っ張り部材は開き戸形式の扉の閉扉方向の力に抗する方向にだけセットできる構造であるため、開き戸形式の扉の開扉方向の力に抗する力は発生せず、扉の開方向の力に対してはドアストッパーとして機能しない。
【０００５】
それゆえ、扉が閉扉状態で外部から扉を開けようとした時、扉を開きにくくする、いわゆる防犯効果は期待できない。
【０００６】
また、引き戸形式の扉に対しては、開扉方向、閉扉方向の何れの方向の力にも、それに抗する力は発生出来ない構造であった。
【特許文献１】特開２００３−２７８４２９号公報、特開２００３−３０１６５２号公報
【発明の開示】
【発明が解決しようとする課題】
【０００７】
周知のドアストパーでは、開き戸形式の扉を開扉状態に保持することはできるが、開き戸形式の扉を閉扉状態に保持するため、開扉方向に働く力に抗する力を発生することは出来ず、引き戸形式の扉を閉扉状態に保持することは出来ない問題がある。
【０００８】
また、周知のドアストッパーを引き戸形式の扉に装着しても、開扉方向、閉扉方向の力に抗する力を発生出来ず、開き戸形式の扉を開扉状態、閉扉状態いずれの状態にも保持出来ない問題がある。
【０００９】
これらの問題を解決し、開き戸形式の扉も引き戸形式の扉も、開扉状態、閉扉状態、いずれの状態にも保持できるドアストッパーを提供することが、本発明の課題である。
【課題を解決するための手段】
【００１０】
周知のドアストッパーの突っ張り部材が、開き戸形式の扉の閉扉方向に働く力に抗する方向にだけセットされる構造であるのに対し、本発明品の突っ張り部材は、開き戸形式の扉の開扉方向に働く力に抗する方向にもにセット出きる構造とすることにより、開き戸形式の扉の開閉いずれの方向に働く力にも抗する力を発生することが可能となる。
【００１１】
また、引き戸形式の扉に対しても、開閉何れの方向に働く力にも抗する方向に、突っ張り部材をセット出来る構造とするとすることにより、引き戸形式の扉の開閉方向いずれの方向に働く力にも抗する力を発生することが可能となる。
【００１２】
以上のように、本発明品は、従来のドアストッパーが開き戸形式の扉の閉扉方向の力にだけ抗する力を発生させるよう、突っ張り部材をセットするのに対して、突っ張り部材を複数方向の力に抗する力を発生させるようにセット出来る構造とすることで、問題を解決するものである。
【発明の効果】
【００１３】
突っ張り部材を複数の方向にセットできる構造とすることで、開き戸形式、引き戸形式の何れの扉でも、扉の開扉方向および閉扉方向に働く力に抗する力を発生させることが可能となり、開き戸形式の扉も引き戸形式の扉も、開扉状態、閉扉状態、いずれの状態にも保持できるドアストッパーを提供することが可能となる。
【発明を実施するための最良の形態】
【００１４】
本発明のドアストッパーの最良の形状は、扉に取り付けられる取り付け基板に設けられる棒状の梁部に床面と平行な面に沿って回転可能な回転部を設け、回転部には突っ張り部材を取り付ける取り付け部が設けられており、取り付け部には突っ張り部材が取り付けられ、突っ張り部材の先端には、床面にセットされる脚キャップが設置されているものである。
【００１５】
扉に働く力に抗する力は、梁部に設けられる回転部を回転させ、突っ張り部材を扉に働く力の方向に向け、脚キャップを床面に設置することにより、脚キャップと床面の間に発生する摩擦力にて得ることができる。
【００１６】
以上のように、本発明の実施形態を、突っ張り部材および脚キャップの方向を回転させ、扉に働く力の方向に自在にセット出来る構造とすることで、複数方向の扉に働く力に抗する力を発生ことが可能となり、開き戸形式、引き戸形式のいずれの扉でも、開扉状態、閉扉状態に保持することが出来るドアストッパーを提供することができる。
【実施例１】
【００１７】
以下、本発明の実施例１を図に基づいて説明する。
【００１８】
図１は実施例１のドアストッパー１の実施形態を示す斜視図であり、このドアストッパー１は扉に装着可能な取り付け基板２と、取り付け基板に設けられる梁部３と、梁部３に設けられる床面に平行な面上を回転可能な回転部４と、回転部４に取り付けられる棒状の突っ張り部材６と、突っ張り部材６の先端に取り付けられ、床面にセットさせる脚キャップ６ａを有している。
【００１９】
取り付け基板２は、磁石または接着材または螺子などにより扉に取り付けられる。  
【００２０】
梁部３は、取り付け基板２に溶接または螺子などにより取り付けられ、取り付け基板２を扉に取りつけた状態で、ドア面に対して垂直に、床面に対して平行に配置されるように取り付けられている。
【００２１】
図２は梁部に取り付けられた回転部４の断面図を示し、回転部４が、梁部３に装着される支柱部３ａを中心に３６０°回転することで、突っ張り部材６も３６０°回転できる構造になっており、回転部４は支柱部３ａと締結部材７で保持される。
【００２２】
突っ張り部材６は取り付け部４ａに締結部材５により取り付けられ、回転部４の回転に従い回転し、脚キャップ６aを扉に働く力に抗する力を発生させる方向にセットすることが可能となる。  
【００２３】
図３は実施例１のドアストッパーの側面図を示す図であり、例えば、開き戸形式の扉に本発明のドアストッパーを取り付けた場合、扉を閉扉状態で保持する場合は、突っ張り部材６と脚キャップ６aを実線の位置にセットし、扉を開扉状態で保持する場合は、突っ張り部材６と脚キャップ６aを点線の位置にセットすることにより、夫々の状態で扉に働く力に抗する力を発生させることが可能となる。  
【実施例２】
【００２４】
次に、実施例２を図を用いて説明する。
【００２５】
図４は実施例２のドアストッパー８の斜視図であり、実施例１の梁部３が取り付け基板２に固定されているのに対して、実施例２の梁部９は、支点１０を中心に水平方向、垂直方向に回転し、且つ、水平方向、垂直方向で保持できる機構を有し、ドアストッパー８として使用する場合は梁部９を水平方向に保持し、収納する場合は梁部９を垂直方向に保持する。
【００２６】
梁部９を水平方向、垂直方向に保持する方法は、例えば、水平方向に保持する時は、下方向の力の対する保持は保持部材１１で保持し、上方向の力に対する保持は、梁部９に内臓されるラッチェット機構などで梁部９が上方向に回転しない構造となっており、水平方向を保持する。
【００２７】
図５は実施例２の側面図であり、実線は発明品の使用時の状態を示し、破線は発明品の収納時の状態を示すもので、発明品を使用しない時に、梁部９を垂直方向に立てて収納することにより、請求項１の発明品に対して、場所をとらずに収納できるドアストッパーが提供できる。
【図面の簡単な説明】
【００２８】
【図１】実施例１の斜視図
【図２】実施例１の回転部４の断面図
【図３】実施例１の側面図
【図４】実施例２の斜視図
【図５】実施例２の側面図
【符号の説明】
【００２９】
１  実施例１のドアストッパー
２  取り付け基板
３  実施例１の梁部
３ａ  支柱部
４  回転部
４ａ  突っ張り部材６が取り付く取り付け部
５  取り付け部４ａと突っ張り部材６の締結部材
６  突っ張り部材
６ａ  脚キャップ
７  回転部４を保持する締結部材
８  実施例２のドアストッパー
９  実施例２の梁部
１０  実施例２の梁部９の支点
１１  実施例２の梁９の保持部材
【図１】
2006112072.tif 000003
【図２】
2006112072.tif 000004
【図３】
2006112072.tif 000005
【図４】
2006112072.tif 000006
【図５】
2006112072.tif 000007